(57)【要約】  本発明は、基板上で互いに直列に接続している複数の単位セル、および前記複数の単位セル内に備えられた光透過部を含み、前記光透過部が、不連続的な直線構造からなる薄膜型太陽電池に関するものであり、本発明によると、光透過部が不連続に形成されることにより、複数のドットパターンからなる光透過部の繰り返し特性が緩和され得、それによって、光が前記光透過部を透過する際に、モアレ現象のような縞模様が発生する問題を効果的に解消することができる。
2020526912.tif 000002
【特許請求の範囲】
【請求項１】
基板上で互いに直列に接続している複数の単位セル、および
前記複数の単位セル内に備えられた光透過部を含み、
前記光透過部が、少なくとも一つの断絶部を有する不連続的な直線構造からなる薄膜型太陽電池。
【請求項２】
前記光透過部が、前記断絶部を間に置いて離隔した複数の連続領域に備えられ、前記複数の連続領域には、複数のドットパターンが互いに重なる請求項１に記載の薄膜型太陽電池。
【請求項３】
前記断絶部が、第1断絶部及び第2断絶部を含み、
前記連続領域は、前記第1断絶部を間に置いて離隔した第1連続領域及び第2連続領域、前記第2断絶部を間に置いて離隔した前記第2連続領域及び第3連続領域を含む請求項２に記載の薄膜型太陽電池。
【請求項４】
前記第1断絶部の長さが、前記第2断絶部の長さと異なる請求項３に記載の薄膜型太陽電池。
【請求項５】
前記第1連続領域、前記第2連続領域、及び前記第3連続領域の中の少なくとも2つの連続領域内に備えられた前記複数のドットパターンの数が、互いに異なる請求項３に記載の薄膜型太陽電池。
【請求項６】
前記光透過部が、所定方向に互いに離隔した第1光透過部および第2光透過部を含み、
前記第1光透過部のパターンは、前記第2光透過部のパターンと異なる請求項１に記載の薄膜型太陽電池。
【請求項７】
前記第1光透過部および第2光透過部のそれぞれが、前記断絶部を間に置いて離隔した複数の連続領域に備えられていて、
前記第1光透過部の断絶部は、前記第2光透過部の断絶部と重ならないように備えられている請求項６に記載の薄膜型太陽電池。
【請求項８】
前記第1光透過部および第2光透過部のそれぞれが、前記断絶部を間に置いて離隔した複数の連続領域に備えられていて、
前記第1光透過部の断絶部の長さは、前記第2光透過部の断絶部の長さと異なる請求項６に記載の薄膜型太陽電池。
【請求項９】
前記第1光透過部および第2光透過部のそれぞれが、前記断絶部を間に置いて離隔した複数の連続領域に備えられていて、
前記第1光透過部の連続領域内に備えられた前記複数のドットパターンの数は、前記第2光透過部の連続領域内に備えられた前記複数のドットパターンの数と異なる請求項６に記載の薄膜型太陽電池。
【請求項１０】
基板上で複数の単位セル間を分離するように第1方向に配列された複数の分離部、および
前記複数の分離部と交差するように第2方向に配列され、前記複数の分離部とともに活性領域を画定する複数の光透過部を含み、
前記活性領域の境界には、前記光透過部の断絶部が設けられている薄膜型太陽電池。
【請求項１１】
前記複数の光透過部が、互いに離隔している第1光透過部および第2光透過部を含み、
前記断絶部は、前記第1光透過部の第1断絶部及び前記第2光透過部の第2断絶部を含む請求項１０に記載の薄膜型太陽電池。
【請求項１２】
前記第1光透過部のパターンが、前記第2光透過部のパターンと異なる請求項１１に記載の薄膜型太陽電池。
【請求項１３】
前記第1断絶部と前記第2断絶部が、互いに重ならないように備えられている請求項１１に記載の薄膜型太陽電池。
【請求項１４】
前記活性領域が、第1活性領域および第2活性領域を含み、
前記第1活性領域に備えられた前記断絶部と前記第2活性領域に備えられた前記断絶部は互いに非対称に設けられている請求項１０に記載の薄膜型太陽電池。
【請求項１５】
前記基板上に第1電極、半導体層、及び第2電極が備えられていて、
前記光透過部が、前記半導体層と前記第2電極の所定領域が除去された構造からなる請求項１に記載の薄膜型太陽電池。
【請求項１６】
前記基板上に第1電極、半導体層、及び第2電極が備えられていて、
前記光透過部が、前記半導体層および前記第2電極の所定領域が除去された構造からなる請求項１０に記載の薄膜型太陽電池。
【発明の詳細な説明】
【技術分野】
【０００１】
本発明は、薄膜型太陽電池に関するものであり、より詳細には、シースルー（see-through）構造を有する薄膜型太陽電池に関するものである。
【背景技術】
【０００２】
太陽電池は、半導体の性質を利用して光エネルギーを電気エネルギーに変換させる装置である。
【０００３】
太陽電池は、P（positive）型半導体とN（negative）型半導体を接合させたPN接合構造をしている。このような構造の太陽電池に太陽光が入射すると、入射した太陽光エネルギーにより前記半導体内で正孔（hole）と電子（electron）が発生する。ここで、前記PN接合で発生した電界によって前記正孔（+）は、P型半導体の方に移動して前記電子（-）は、N型半導体の方に移動するようになって電位が発生し、それによって電力を生産できるようになる。
【０００４】
前記太陽電池は、薄膜型太陽電池（Thin film type solar cell）とウェハ型太陽電池（Wafer type solar cell）に区分することができる。
【０００５】
前記薄膜型太陽電池は、ガラスなどの基板上に薄膜形態で半導体を形成して製造されたものであり、前記ウェハ型太陽電池は、シリコンウエハ自体を基板に用いて製造されたものである。
【０００６】
前記ウェハ型太陽電池は、前記薄膜型太陽電池に比べて効率が優れているが、工程上、厚さを最小化するには限界があり、高価な半導体基板を利用するため、製造費用が上昇する欠点がある。
【０００７】
前記薄膜型太陽電池は、シースルー（see-through）形態の光透過領域の確保が可能であるため、建築物の窓ガラスまたは車両のサンルーフなどに容易に適用することができる。
【０００８】
以下、図を参照して従来のシースルー形態の薄膜型太陽電池について説明することにする。
【０００９】
図1aは、従来のシースルータイプの薄膜型太陽電池の概略的な平面図であり、図1bは、図1aのA-B線の断面図である。
【００１０】
図1aから分かるように、基板１０上に第1単位セル（U1）、第2単位セル（U2）、第3単位セル（U3）及び第4単位セル（U4）のような複数の単位セル（U1、U2、U3、U4）が備えられている。
【００１１】
前記複数の単位セル（U1、U2、U3、U4）は、第1分離部（P1）、コンタクト部（P2）、及び第2分離部（P3）によって直列に接続している。前記第1分離部（P1）と前記第2分離部（P3）は、隣接する単位セル（U1、U2、U3、U4）間の前面電極と背面電極をそれぞれ分離する役割をし、前記コンタクト部（P2）は、隣接する単位セル（U1、U2、U3、U4）間を直列に接続する役割をする。このような第1分離部（P1）、コンタクト部（P2）、及び第2分離部（P3）の１セットは、互いに隣接する単位セル（U1、U2、U3、U4）間で互いに同じ方向、例として縦方向に配列されている。
【００１２】
前記第1分離部（P1）、コンタクト部（P2）、及び第2分離部（P3）と交差する方向、例として横方向に複数の光透過部（T）が配列されている。前記光透過部（T）を介して光が透過することができ、薄膜型太陽電池がシースルー形態を有するようになる。
【００１３】
図1bから分かるように、基板１０上に複数の前面電極２０が形成されていて、前記複数の前面電極２０上に複数の半導体層３０が形成されていて、前記複数の半導体層３０上に複数の背面電極４０が形成されている。
【００１４】
前記複数の前面電極２０は、前記第1分離部（P1）を間に置いて、それぞれの単位セル（U1、U2、U3）に形成されている。
【００１５】
前記複数の半導体層３０は、前記のコンタクト部（P2）及び前記第2分離部（P3）を間に置いて、それぞれの単位セル（U1、U2、U3）に形成されている。
【００１６】
前記複数の背面電極４０は、前記第2分離部（P3）を間に置いて、それぞれの単位セル（U1、U2、U3）に形成されている。
【００１７】
互いに隣接する単位セル（U1、U2、U3）間で、いずれか一つの単位セル（U1、U2）内の背面電極４０は、その隣接する単位セル（U2、U3）内の前面電極２０と前記コンタクト部（P2）を介して接続し、それによって複数の単位セル（U1、U2、U3）が直列に接続する。
【００１８】
それぞれの単位セル（U1、U2、U3）内には、光透過部（T）が備えられている。参考に、図1bには、第2単位セル（U2）に前記光透過部（T）を備えた様子のみを示している。
【００１９】
前記光透過部（T）は、前記半導体層３０及び前記背面電極４０の所定領域を除去して形成され、それによって、光が前記光透過部（T）を介して透過することができる。前記光透過部（T）領域には、前記基板１０と前記前面電極２０も形成されているが、前記基板１０と前記前面電極２０は、透明な材料からなることによって、前記光透過部（T）領域で光を透過させることができる。
【００２０】
このような従来の薄膜型太陽電池は、光透過部（T）領域でモアレ（Moire）現象のような縞模様が形成されて事物が歪曲して見えるという問題がある。
【００２１】
前記光透過部（T）は、一般的に、レーザー加工を介して前記半導体層３０及び前記背面電極４０の所定領域を除去して形成され、それによって前記光透過部（T）は、微細なドットパターン（dot pattern）が連続して成り立つ。ここで、前記微細なドットパターンからなる光透過部（T）を介して光が透過するとき、前記ドットパターンを通過する光が、互いに波長の干渉を引き起こして前記モアレ現象のような縞模様を形成し、それによって前記光透過部（T）を介して見える事物が歪曲されることで薄膜型太陽電池の視認性が低下する問題がある。
【発明の概要】
【発明が解決しようとする課題】
【００２２】
本発明は、前述した従来の薄膜型太陽電池の問題点を解決するために考え出されたものであり、本発明は、光透過部の領域でモアレ現象のような縞模様が形成される問題を解消することにより、視認性が向上した薄膜型太陽電池を提供することを目的とする。
【課題を解決するための手段】
【００２３】
前記目的を達成するために、本発明は、基板上で互いに直列に接続している複数の単位セル;および前記複数の単位セル内に備えられた光透過部を含み、前記光透過部は、少なくとも一つの断絶部を有する不連続的な直線構造からなる薄膜型太陽電池を提供する。
【００２４】
前記光透過部は、前記断絶部を間に置いて離隔した複数の連続領域に備えられ、前記複数の連続領域では、複数のドットパターンが互いに重なることができる。
【００２５】
前記断絶部は、第1断絶部及び第2断絶部を含み、前記連続領域は、前記第1断絶部を間に置いて離隔した第1連続領域及び第2連続領域、前記第2断絶部を間に置いて離隔した前記第2連続領域及び第3連続領域を含み得る。
【００２６】
前記第1断絶部の長さは、前記第2断絶部の長さと異なり得る。
【００２７】
前記第1連続領域、前記第2連続領域、及び前記第3連続領域の中で少なくとも2つの連続領域内に備えられた前記複数のドットパターンの数は、互いに異なり得る。
【００２８】
前記光透過部は、所定方向に互いに離隔した第1光透過部および第2光透過部を含み、前記第1光透過部のパターンは、前記第2光透過部のパターンと異なり得る。
【００２９】
前記第1光透過部および第2光透過部のそれぞれは、前記断絶部を間に置いて離隔した複数の連続領域に備えられていて、前記第1光透過部の断絶部は、前記第2光透過部の断絶部と重ならないように備えることができる。
【００３０】
前記第1光透過部および第2光透過部のそれぞれは、前記断絶部を間に置いて離隔した複数の連続領域に備えられていて、前記第1光透過部の断絶部の長さは、前記第2光透過部の断絶部の長さと異なり得る。
【００３１】
前記第1光透過部および第2光透過部のそれぞれは、前記断絶部を間に置いて離隔した複数の連続領域に備えられていて、前記第1光透過部の連続領域内に備えられた前記複数のドットパターンの数は、前記第2光透過部の連続領域内に備えられた前記複数のドットパターンの数と異なり得る。
【００３２】
本発明は、また、基板上で複数の単位セル間を分離するように第1方向に配列された複数の分離部;及び前記複数の分離部と交差するように第2方向に配列され、前記複数の分離部とともに活性領域を画定する複数の光透過部を含み、前記活性領域の境界には、前記光透過部の断絶部が設けられている薄膜型太陽電池を提供する。
【００３３】
前記複数の光透過部は、互いに離隔している第1光透過部および第2光透過部を含み、前記断絶部は、前記第1光透過部の第1断絶部及び前記第2光透過部の第2断絶部を含み得る。
【００３４】
前記第1光透過部のパターンは、前記第2光透過部のパターンと異なり得る。
【００３５】
前記第1断絶部と前記第2断絶部は、互いに重ならないように備えられ得る。
【００３６】
前記活性領域は、第1活性領域および第2活性領域を含み、前記第1活性領域に備えられた前記断絶部と前記第2活性領域に備えられた前記断絶部は、互いに非対称に設けられ得る。
【００３７】
前記基板上には、第1電極、半導体層、及び第2電極が備えられていて、前記光透過部は、前記半導体層および前記第2電極の所定領域が除去された構造からなり得る。
【発明の効果】
【００３８】
以上のような本発明によれば、次のような効果がある。
【００３９】
本発明の一実施例によると、光透過部が不連続に形成されることにより、複数のドットパターンからなる光透過部の繰り返し特性が緩和され得、それによって、光が前記光透過部を透過する際にモアレ現象のような縞模様が発生するという問題が効果的に解消され得る。
【００４０】
本発明の他の実施例によると、第1断絶部の長さを第2断絶部の長さと異なって形成することにより、複数のドットパターンからなる光透過部の繰り返し特性がより緩和され得、それによって、光が前記光透過部を透過する際にモアレ現象のような縞模様が発生する問題が効果的に解消され得る。
【００４１】
本発明のまた他の実施例によると、光透過部を含む複数の連続領域の中の少なくとも2つの連続領域でレーザースポット（LS）の数またはドットパターンの数を互いに異なるように形成することにより、複数のドットパターンからなる光透過部の繰り返し特性がより緩和され得、それによって、光が前記光透過部を透過する際にモアレ現象のような縞模様が発生する問題が効果的に解消され得る。
【００４２】
本発明のまた他の実施例によると、第1光透過部の断絶部が第2光透過部の断絶部と重ならないように形成することにより、複数のドットパターンからなる光透過部の繰り返し特性がより緩和され得、それによって、光が前記光透過部を透過する際にモアレ現象のような縞模様が発生する問題が効果的に解消され得る。
【図面の簡単な説明】
【００４３】
【図１Ａ】従来のシースルータイプの薄膜型太陽電池の概略的な平面図である。
【図１Ｂ】図１ＡのA-B線の断面図である。
【図２Ａ】本発明の一実施例に係るシースルータイプの薄膜型太陽電池の概略的な平面図である。
【図２Ｂ】図２ＡのA-B線の断面図である。
【図３】本発明の一実施例による光透過部（T）を示すものである。
【図４】本発明の他の実施例による光透過部（T）を示すものである。
【図５】本発明のまた他の実施例による光透過部（T）を示すものである。
【図６】本発明のまた他の実施例による光透過部（T）を示すものである。
【発明を実施するための形態】
【００４４】
本発明の利点および特徴、そしてそれらを達成する方法は添付の図と共に詳細に後述されている実施例を参照すると明確になるだろう。しかし、本発明は、以下で開示される実施例に限定されるものではなく、異なる多様な形態で具現されるものであり、単に本実施例は、本発明の開示を完全にし、本発明が属する技術分野で通常の知識を有する者に発明の範疇を完全に知らせるために提供されるものであり、本発明は、請求項の範疇によってのみ画定される。
【００４５】
本発明の実施例を説明するための図に開示された形状、大きさ、比率、角度、数などは例示的なものなので、本発明は、図に示した事項に限定されるものではない。明細書全体にわたって同一参照符号は同一の構成要素を指す。また、本発明を説明するにおいて、関連する公知技術に対する詳細な説明が本発明の要旨を不必要に曖昧にすると判断された場合、その詳細な説明は省略する。本明細書で言及した「含む」、「有する」、「からなる」などが使用されている場合は、「〜だけ」が使用されていない限り、他の部分が追加され得る。構成要素を単数で表現した場合、特別な明示的な記載事項がない限り、複数が含まれる場合を含む。
【００４６】
構成要素を解釈するに当たり、別途の明示的な記載がなくても誤差の範囲を含むものと解釈する。
【００４７】
位置関係の説明である場合には、例えば、「〜の上に」、「〜の上部に」、「〜の下部に」、「〜の隣に」など2つの部分の位置関係が説明されている場合は、「すぐに」または「直接」が使用されていない限り、二つの部分の間に一つ以上の他の部分が位置することもできる。
【００４８】
時間の関係に対する説明である場合には、例えば、「〜の後」、「〜に続いて」、「〜次に」、「〜前に」などで時間的前後関係が説明されている場合は、「すぐに」または「直接」が使用されていない限り、連続していない場合も含むことができる。
【００４９】
第1、第2などが多様な構成要素を記述するために使用されるが、これらの構成要素はこれらの用語によって制限されない。これらの用語は、ただ一つの構成要素を他の構成要素と区別するために使用されるものである。したがって、以下に記載されている第1構成要素は、本発明の技術的思想内で第2構成要素であることもある。
【００５０】
本発明の複数の実施例のそれぞれの特徴が部分的または全体的に互いに結合または組み合わせ可能で、技術的に多様な連動および駆動が可能であり、各実施例が互いに独立して実施可能であり得、関連の関係で一緒に実施することもできる。
【００５１】
以下、図を参照して、本発明の好ましい実施例について詳細に説明することにする。
【００５２】
図2aは、本発明の一実施例に係るシースルータイプの薄膜型太陽電池の概略的な平面図であり、図2bは、図2aのA-B線の断面図である。
【００５３】
図2aから分かるように、基板１００上に第1単位セル（U1）、第2単位セル（U2）、第3単位セル（U3）及び第4単位セル（U4）を含む複数の単位セル（U1、U2、U3、U4）が備えられている。
【００５４】
前記複数の単位セル（U1、U2、U3、U4）のそれぞれは、第1分離部（P1）、コンタクト部（P2）、及び第2分離部（P3）の一セットによって互いに分離されている。すなわち、前記第1単位セル（U1）と前記第2単位セル（U2）の間、前記第2単位セル（U2）と前記第3単位セル（U3）の間、前記第3単位セル（U3）と前記第4単位セル（U4）の間には、それぞれ、前記第1分離部（P1）、コンタクト部（P2）、及び第2分離部（P3）の一セットが形成されている。
【００５５】
前記複数の単位セル（U1、U2、U3、U4）は、前記第1分離部（P1）、コンタクト部（P2）、及び第2分離部（P3）の一セットによって直列に接続している。
【００５６】
前記第1分離部（P1）、コンタクト部（P2）、及び第2分離部（P3）は、互いに同じ方向、例として縦方向に一列に配列している。また、前記第1分離部（P1）、コンタクト部（P2）、及び第2分離部（P3）と交差する方向、例として横方向には、複数の光透過部（T）が配列している。
【００５７】
前記複数の光透過部（T）は、縦方向に所定間隔を有しながら互いに離隔している。前記光透過部（T）を介して光が透過することができ、本発明の一実施例に係る薄膜型太陽電池がシースルー形態を有するようになる。
【００５８】
前記光透過部（T）は、前記第1分離部（P1）、コンタクト部（P2）、及び第2分離部（P3）と交差しながら連続的な直線構造で形成されず、その代わりに不連続的な直線構造で形成される。すなわち、前記光透過部（T）が配列された仮想の直線内の所定の領域に、断絶部（D）が備えられている。
【００５９】
本明細書で光透過部（T）が不連続的な直線構造で形成されるということは、直線構造内に断絶部（D）が備えられていて、前記断絶部（D）により直線構造が連続にならず、前記断絶部（D）を間に置いて複数の直線が互いに離隔配列され、前記互いに離隔した複数の直線を連結すると、連続する1つの直線になることを意味する。
【００６０】
前記光透過部（T）を構成する不連続的な直線構造は、一つまたは二つ以上の前記断絶部（D）を備えることができる。
【００６１】
このように、本発明の一実施例によれば、前記光透過部（T）が連続的な直線構造で形成されず、不連続的な直線構造で形成されるので、光が前記光透過部（T）を透過する際にモアレ（Moire）現象のような縞模様が形成されず、それによって薄膜型太陽電池の視認性が向上し得る。
【００６２】
本発明者は、前記光透過部（T）を連続的な直線構造で形成する場合、前記光透過部（T）を構成する微細なドットパターンが連続的に形成され、そのような連続的なドットパターンを介して光が通過する際、モアレ現象のような縞模様が発生することを確認し、それで前記の連続的なドットパターンを不連続的なドットパターンに変更した場合、光が不連続的なドットパターンを通過しながら、前記モアレ現象のような縞模様が発生しない点を確認して本発明を完成した。
【００６３】
図2bから分かるように、基板１００上に複数の第1電極２００が形成されていて、前記複数の第1電極２００上に複数の半導体層３００が形成されていて、前記複数の半導体層３００上に複数の第2電極４００が形成されている。
【００６４】
前記基板１００には、ガラスまたは透明なプラスチックを利用することができる。
【００６５】
前記第1電極２００は、ZnO、ZnO：B、ZnO：Al、SnO2、SnO2：F、またはITO（Indium Tin Oxide）などのような透明な導電物質からなることができる。前記第1電極２００は、薄膜型太陽電池の前面電極として機能することができ、それによって太陽光が前記透明導電物質からなる第1電極２００を介して内部に入射することができる。この場合、入射する太陽光が太陽電池の内部に最大限に吸収されるようにするために、前記第1電極２００の表面に凹凸構造が形成され得る。
【００６６】
前記第1電極２００は、それぞれの単位セル（U1、U2、U3、U4）にパターン形成されている。詳細には、複数の第1電極２００は、第1分離部（P1）を間に置いて互いに離隔している。前記第1分離部（P1）は、前記第1電極２００を形成するための電極層の所定の領域をレーザースクライビング工程を通じて除去することによって形成することができる。
【００６７】
前記半導体層３００は、シリコン系半導体物質、例としてアモルファスシリコン（a-Si：H）または微結晶シリコン（μc-Si：H）などからなり得る。前記半導体層３００は、P（Positive）型半導体層、I（Intrinsic）型半導体層およびN（Negative）型半導体層が順に積層したPIN構造で形成され得る。このように前記半導体層３００をPIN構造で形成するようになると、I型半導体層がP型半導体層とN型半導体層によって空乏層（depletion）になり内部に電界が発生するようになり、太陽光によって生成された正孔および電子が前記電界によってドリフト（drift）され、それぞれP型半導体層およびN型半導体層で収集されることになる。
【００６８】
前記半導体層３００をPIN構造で形成する場合には、太陽光が入射する側に近い位置にP型半導体層を形成し、続いてI型半導体層およびN型半導体層を形成することが好ましい。その理由は、一般的に正孔のドリフト移動度（drift mobility）が電子のドリフト移動度より低いため、P型半導体層を受光面に近く形成することで、入射光によるキャリアの収集効率を最大化するためである。
【００６９】
前記半導体層３００は、それぞれの単位セル（U1、U2、U3、U4）にパターン形成されている。詳細には、複数の半導体層３００は、コンタクト部（P2）および第2分離部（P3）を間に置いて離隔している。前記コンタクト部（P2）は、前記半導体層３００を形成するための半導体物質層の所定領域をレーザースクライビング工程を通じて除去することによって形成することができる。
【００７０】
前記第2分離部（P3）は、前記半導体層３００を形成するための半導体物質層および前記第2電極４００を形成するための電極層それぞれの所定の領域をレーザースクライビング工程を通じて除去することにより形成することができる。
【００７１】
前記第2電極４００は、Ag、Al、Ag+Mo、Ag+Ni、Ag+Cuなどのような金属物質からなることができるが、必ずしもそれに限定されるものではなく、ZnO、ZnO：B、ZnO：Al、SnO2、SnO2：F、またはITO（Indium Tin Oxide）などのような透明な導電物質からなることもできる。前記第2電極４００は、太陽光が入射する面の反対面に該当する背面電極として機能することができ、この場合、前記第2電極４００は、不透明導電物質からなることができる。ただし、必ずしもそれに限定されるものではなく、第2電極４００が透明導電物質からなることにより、透明な薄膜太陽電池を具現することもできる。
【００７２】
前記第2電極４００は、それぞれの単位セル（U1、U2、U3、U4）にパターン形成されている。詳細には、複数の第2電極４００は、前記第2分離部（P3）を間に置いて離隔している。特に、前記第2電極４００は、前記コンタクト部（P2）を介して前記第1電極２００と電気的に接続する。詳細には、互いに隣接する単位セル（U1、U2、U3）間で、いずれか一つの単位セル（U1、U2）内の第2電極４００は、それと隣接する単位セル（U2、U3）内の第2電極（200）と、前記コンタクト部（P2）を介して接続し、それによって複数の単位セル（U1、U2、U3）が直列に接続することができる。
【００７３】
ここで、それぞれの単位セル（U1、U2、U3）内には、光透過部（T）が備えられている。前記光透過部（T）は、前記半導体層３００および前記第2電極４００の所定領域をレーザースクライビング工程を通じて除去することによって形成される。したがって、外部光が前記光透過部（T）を介して透過することができる。前記光透過部（T）の領域には、前記基板１００と、前記第1電極２００も形成されているが、前記基板１００と、前記第1電極２００も透明な材料からなるので、前記光透過（T）領域で光が透過することができる。
【００７４】
一方、前述した断絶部（D）領域は、前記光透過部（T）とは異なり、前記半導体層３００および前記第2電極４００の所定領域が除去されずにそのまま残存することになる。したがって、前記の断絶部（D）は、前記光透過部（T）のように光が透過することができる範囲ではないことがあり得る。詳細には、前記第2電極４００が不透明な材料からなる場合には、前記断絶部（D）は、光が透過することができない領域となり、前記第2電極４００が透明な材料からなる場合には、前記断絶部（D）は、光が透過することができるが、前記半導体層３００を通過しながら相当量の光が吸収されるため、前記光透過部（T）に比べて光透過率が少なくなる。
【００７５】
以下では、本発明の様々な実施例による光透過部（T）の構造について、より詳細に説明することにする。
【００７６】
図3は、本発明の一実施例による光透過部（T）を示すものである。
【００７７】
図3に示すように、光透過部（T）は、レーザースクライビング工程を通じて形成され、それによって複数のレーザスポット（Laser Spot;LS）を含む。
【００７８】
前記レーザースポット（LS）は、ドットパターン（dot pattern）からなる。前記ドットパターンは、レーザースポット（LS）の形状によって、その形状が決定され、図に示したように円形になり得るが、必ずしもそれに限定されるものではない。
【００７９】
このようにドットパターンからなる複数のレーザスポット（LS）は、重畳して配列され、それによって前記光透過部（T）が備えられた連続領域（A1、A2、A3）が設けられる。前記連続領域（A1、A2、A3）は、前述した図2bのように半導体層３００と第2電極４００は、除去することにより、基板１００上に形成された第1電極２００を含み得る。
【００８０】
前記連続領域（A1、A2、A3）は、図に示したように、複数のドットパターンが互いに重畳しながら配列した第1連続領域（A1）、第2連続領域（A2）、及び第3連続領域（A3）を含む。前記光透過部（T）の形成時にレーザーが一直線に移動することにより、前記第1連続領域（A1）、第2連続領域（A2）、及び前記第3連続領域（A3）が、仮想の一直線上に配列することができるが、必ずしもそれに限定されるものではない。ここで、それぞれの連続領域（A1、A2、A3）内のレーザースポット（LS）の数およびドットパターンの数は、互いに同一に形成することができる。
【００８１】
前記連続領域（A1、A2、A3）間には断絶部（D1、D2）が形成されている。すなわち、第1連続領域（A1）と第2連続領域（A2）との間に第1断絶部（D1）が形成されていて、第2連続領域（A2）と第3連続領域（A3）との間に第2断絶部（D2）が形成されている。前記断絶部（D1、D2）は、前述した図2bのように、基板１００上に形成された第1電極２００、半導体層３００、及び第2電極４００を含み得る。ここで、前記第1断絶部（D1）の長さは、前記第2断絶部（D2）の長さと異なって形成される。
【００８２】
このような図3の構造によると、光透過部（T）が不連続に形成されるとともに、前記第1断絶部（D1）の長さが前記第2断絶部（D2）の長さと異なるように形成されることにより、前記複数のドットパターンからなる光透過部（T）の繰り返し特性がより緩和され得る。それによって、光が前記光透過部（T）を透過する際にモアレ現象のような縞模様が発生する問題が効果的に解消され得る。
【００８３】
図4は、本発明の他の実施例による光透過部（T）を示すものである。前述した図3による実施例と同一の構成に対して同一の符号を付与し、同じ構成の繰り返し説明は省略することにする。
【００８４】
図4に示すように、光透過部（T）は、断絶部（D1、D2、D3）を間に置いて離隔した連続領域（A1、A2、A3）に備えられている。
【００８５】
詳細には、第1連続領域（A1）と第2連続領域（A2）は、第1断絶部（D1）を間に置いて離隔していて、前記第2連続領域（A2）と第3連続領域（A3）は第2断絶部（D2）を間に置いて離隔している。
【００８６】
ここで、前記第1連続領域（A1）内のレーザースポット（LS）の数およびドットパターンの数は、前記第2連続領域（A2）内のレーザースポット（LS）の数およびドットパターンの数と異なる。また、前記第2連続領域（A2）内のレーザースポット（LS）の数およびドットパターンの数は、前記第3連続領域（A3）内のレーザースポット（LS）の数およびドットパターンの数と異なる。また、前記第1連続領域（A1）内のレーザースポット（LS）の数およびドットパターンの数は、前記第3連続領域（A3）内のレーザースポット（LS）の数およびドットパターンの数と異なる。
【００８７】
このように、前記第1連続領域（A1）内のレーザースポット（LS）の数およびドットパターンの数、第2連続領域（A2）内のレーザースポット（LS）の数およびドットパターンの数、及び前記第3連続領域（A3）内のレーザースポット（LS）の数およびドットパターンの数は、すべて異なって形成することができる。
【００８８】
ただし、必ずしもそれに限定されるものではなく、第1連続領域（A1）内のレーザースポット（LS）の数およびドットパターンの数、第2連続領域（A2）内のレーザースポット（LS）の数およびドットパターンの数、及び前記第3連続領域（A3）内のレーザースポット（LS）の数およびドットパターンの数の中で、2つの連続領域（A1、A2、A3）でのみレーザースポット（LS）の数およびドットパターンの数が異なることもできる。例として、第1連続領域（A1）内のレーザースポット（LS）の数およびドットパターンの数は、前記第2連続領域（A2）内のレーザースポット（LS）の数およびドットパターンの数と相違し、前記第3連続領域（A3）内のレーザースポット（LS）の数およびドットパターンの数は、前記第1連続領域（A1）または前記第2連続領域（A2）内のレーザースポット（LS）の数およびドットパターンの数と同じであり得る。
【００８９】
前記第1断絶部（D1）の長さは、前記第2断絶部（D2）の長さと同一に形成することができるが、必ずしもそれに限定されるものではなく、前記第1断絶部（D1）の長さが前記第2断絶部（D2）の長さと異なるように形成することもできる。
【００９０】
このような図4の構造によると、光透過部（T）が不連続に形成するとともに、前記第1連続領域（A1）、第2連続領域（A2）、及び前記第3連続領域（A3）の中から、少なくとも2つの連続領域（A1、A2、A3）でレーザースポット（LS）の数およびドットパターンの数が互いに異なるように形成することにより、前記複数のドットパターンからなる光透過部（T）の繰り返し特性がより緩和され得る。それによって、光が前記光透過部（T）を透過する際にモアレ現象のような縞模様が発生する問題が効果的に解消され得る。
【００９１】
図5は、本発明のまた他の実施例による光透過部（T）を示すものである。
【００９２】
図5に示すように、複数の第1分離部（P1）、コンタクト部（P2）、及び第2分離部（P3）と交差しながら、複数の光透過部（T1、T2）が配列されている。以下、本明細書では、単位セルを区分して単位セル間を直列に接続するための第1分離部（P1）、コンタクト部（P2）、及び第2分離部（P3）の一セットを便宜上、分離部と通称することにする。
【００９３】
互いに隣り合いながら離隔した3つの分離部及び前記3つの分離部と交差しながら互いに離隔した2つの光透過部（T1、T2）によって活性領域（AA1、AA2）を画定することができる。すなわち、第1活性領域（AA1）は左側の分離部、中央の分離部、第1光透過部（T1）、及び第2光透過部（T2）によって画定され、第2活性領域（AA2）は中央の分離部、右側の分離部、第1光透過部（T1）、及び第2光透過部（T2）によって画定することができる。
【００９４】
前記第1光透過部（T1）は、複数のドットパターンからなる複数の第1レーザースポット（LS1）を含む連続領域（A11、A12、A13）に備えられ、前記連続領域（A11、A12、A13）の間には断絶部（D11、D12）が備えられている。詳細には、第1連続領域（A11）と第2連続領域（A12）との間には、第1断絶部（D11）が備えられていて、第2連続領域（A12）と第3連続領域（A13）との間には、第2断絶部（D12）が備えられている。前記第1連続領域（A11）、第2連続領域（A12）、及び前記第3連続領域（A13）のそれぞれに備えられた第1レーザースポット（LS1）の数およびドットパターンの数は、互いに同じだすが、必ずしもそれに限定されるものではなく、互いに異なることもできる。また、前記第1断絶部（D11）の長さは、前記第2断絶部（D12）の長さと同じですが、必ずしもそれに限定されるものではなく、互いに異なることもできる。
【００９５】
前記第2光透過部（T2）は、複数のドットパターンからなる複数の第2レーザスポット（LS2）を含む連続領域（A21、A22、A23）に備えられ、前記連続領域（A21、A22、A23）の間には断絶部（D21、D22）が備えられている。詳細には、第1連続領域（A21）と第2連続領域（A22）との間には、第1断絶部（D21）が備えられていて、第2連続領域（A22）と第3連続領域（A23）との間には、第2断絶部（D22）が備えられている。前記第1連続領域（A21）、第2連続領域（A22）、及び前記第3連続領域（A23）のそれぞれに備えられた第2レーザスポット（LS2）の数およびドットパターンの数は、互いに同じですが、必ずしもそれに限定されるものではなく、互いに異なることもできる。また、前記第1断絶部（D21）の長さは、前記第2断絶部（D22）の長さと同じですが、必ずしもそれに限定されるものではなく、互いに異なることもできる。
【００９６】
前記第1光透過部（T1）のパターンは、前記第2光透過部（T2）のパターンと異なるように形成されている。詳細には、前記第2光透過部（T2）を含む連続領域（A21、A22、A23）は、前記第1光透過部（T1）を含む連続領域（A11、A12、A13）と比較して一側面、例として、右側にシフト（shift）している。したがって、前記第1光透過部（T1）を含む第1および第2連続領域（A11、A12）の間に備えられた第1断絶部（D11）は、前記第2光透過部（T2）を含む第1及び第2連続領域（A21、A22）の間に備えられた第1断絶部（D21）と重ならず、また、前記第1光透過部（T1）を含む第2および第3連続領域（A12、A13）間に備えられた第2断絶部（D12）は、前記第2光透過部（T2）を含む第2および第3連続領域（A22、A23）の間に備えられた第2断絶部（D22）と重ならない。
【００９７】
本明細書において、第1光透過部（T1）の第1/第2断絶部（D11、D12）が第2光透過部（T2）の第1/第2断絶部（D21、D22）と重ならないというのは、前記第1連続領域（A11、A12、A13）または前記第2連続領域（A21、A22、A23）の配列方向（例として、横方向）と垂直方向（例として縦方向）で互いに重ならないことを意味する。
【００９８】
その代わりに、前記第1光透過部（T1）を含む第1および第2連続領域（A11、A12）の間に備えられた第1断絶部（D11）は、前記第2光透過部（T2）を含む第1連続領域（A21）と重なり、前記第1光透過部（T1）を含む第2および第3連続領域（A12、A13）の間に備えられた第2断絶部（D12）は、前記第2光透過（T2）を含む第2連続領域（A22）と重なる。
【００９９】
また、前記第2光透過部（T2）を含む第1および第2連続領域（A21、A22）の間に備えられた第1断絶部（D21）は、前記第1光透過部（T1）を含む第2連続領域（A12）と重なり、前記第2光透過部（T2）を含む第2および第3連続領域（A22、A23）の間に備えられた第2断絶部（D22）は、前記第1光透過（T1）に備えられた第3連続領域（A13）と重なる。
【０１００】
このような構成によって、前記第1活性領域（AA1）及び前記第2活性領域（AA2）の境界は、少なくとも一つの断絶部（D11、D12 D21、D22）を備えることになる。すなわち、前記第1活性領域（AA1）の境界は、前記第1光透過部（T1）の第1断絶部（D11）及び第2光透過部（T2）の第1断絶部（D21）を備え、前記第2活性領域（AA2）の境界は、前記第1光透過部（T1）の第2断絶部（D12）及び第2光透過部（T2）の第2断絶部（D22）を備える。ここで、前記第1活性領域（AA1）の境界に備えられた第1断絶部（D11、D21）は、前記第2活性領域（AA2）の境界に備えられた第2断絶部（D12、D22）と重ならず、したがって互いに非対称に設けられている。
【０１０１】
本明細書で光透過部（T1、T2）の断絶部（D11、D12、D21、D22）とは、前記光透過部（T1、T2）を含む連続領域（A11、A12、A13、A21、A22、A23）の間に備えられた断絶部（D11、D12、D21、D22）を意味する。
【０１０２】
このような図5の構造によると、光透過（T1、T2）が不連続に形成されるとともに、第1光透過部（T1）の断絶部（D11、D12）が第2光透過部（T2）の断絶部（D21、D22）と重ならないように形成されることにより、複数のドットパターンからなる光透過部（T）の繰り返し特性がより緩和され得る。それによって、光が前記光透過部（T）を透過する際にモアレ現象のような縞模様が発生する問題が効果的に解消され得る。
【０１０３】
図6は、本発明のまた他の実施例による光透過部（T）を示すものである。前述した図5による実施例と同一の構成に対して同一の符号を付与し、同じ構成の繰り返し説明は省略することにする。
【０１０４】
図6に示すように、複数の分離部と交差しながら、第1光透過部（T1）と第2光透過部（T2）が互いに離隔するように配置され、第1活性領域（AA1）及び第2活性領域（AA2）が画定される。
【０１０５】
前記第1光透過部（T1）は、第1〜第3連続領域（A11、A12、A13）に備えられ、前記第1〜第3連続領域（A11、A12、A13）の間には、第1〜第2断絶部（D11、D12）が備えられている。
【０１０６】
前記第2光透過部（T2）は、第1〜第3連続領域（A21、A22、A23）に備えられ、前記第1〜第3連続領域（A21、A22、A23）の間には、第1〜第2断絶部（D21、D22）が備えられている。
【０１０７】
ここで、前記第1光透過部（T1）を含む前記第1〜第3連続領域（A11、A12、A13）内の第1レーザースポット（LS1）の数およびドットパターンの数は、前記第2光透過（T2）を含む第1〜第3連続領域（A21、A22、A23）内の第2レーザースポット（LS2）の数およびドットパターンの数と異なる。
【０１０８】
一方、前記第1光透過部（T1）を含む第1〜第3連続領域（A11、A12、A13）それぞれの第1レーザースポット（LS1）の数およびドットパターンの数は同じにすることができるが、必ずしもそれに限定されるものではない。また、前記第2光透過部（T2）を含む第1〜第3連続領域（A21、A22、A23）のそれぞれの第2レーザスポット（LS2）の数およびドットパターンの数は同じにすることができるが、必ずしもそれに限定されるものではない。
【０１０９】
前記第1光透過部（T1）の断絶部（D11、D12）の長さは、前記第2光透過部（T2）の断絶部（D21、D22）の長さと同じにすることができるが、必ずしもそれに限定されるものではない。
【０１１０】
一方、前記第1光透過部（T1）の第1断絶部（D11）の長さと第2断絶部（D12）の長さは同じにすることができるが、必ずしもそれに限定されるものではない。また、前記第2光透過部（T2）の第1断絶部（D21）の長さと第2断絶部（D22）の長さは同じにすることができるが、必ずしもそれに限定されるものではない。
【０１１１】
このような図6の構造によると、光透過（T1、T2）が不連続に形成されるとともに、第1光透過部（T1）の断絶部（D11、D12）が第2光透過部（T2）の断絶部（D21、D22）と重ならず、また、第1光透過部（T1）を含む第1〜第3連続領域（A11、A12、A13）内の第1レーザースポット（LS1）の数およびドットパターンの数が第2光透過部（T2）を含む第1〜第3連続領域（A21、A22、A23）内の第2レーザースポット（LS）の数およびドットパターンの数と相違するように形成されることにより、複数のドットパターンからなる光透過部（T）の繰り返し特性がより緩和され得る。それによって、光が前記光透過部（T）を透過する際にモアレ現象のような縞模様が発生する問題が効果的に解消され得る。
【０１１２】
以上、添付の図を参照して、本発明の実施例をさらに詳細に説明しましたが、本発明は、必ずしもこのような実施例に限定されるわけではなく、本発明の技術思想を逸脱しない範囲内で多様に変形実施することができる。したがって、本発明に開示された実施例は、本発明の技術思想を限定するためのものではなく説明するためのものであり、このような実施例により、本発明の技術思想の範囲が限定されるものではない。従って、以上で記述した実施例は、すべての面で例示的なものであり限定的ではないと理解されなければならない。本発明の保護範囲は、特許請求の範囲によって解釈されなければならず、それと同等の範囲内にあるすべての技術思想は、本発明の権利範囲に含まれるものと解釈されなければならない。
【図１Ａ】
2020526912.tif 000003
【図１Ｂ】
2020526912.tif 000004
【図２Ａ】
2020526912.tif 000005
【図２Ｂ】
2020526912.tif 000006
【図３】
2020526912.tif 000007
【図４】
2020526912.tif 000008
【図５】
2020526912.tif 000009
【図６】
2020526912.tif 000010
【国際調査報告】
2020526912.tif 000011
2020526912.tif 000012
2020526912.tif 000013
2020526912.tif 000014